(57)【特許請求の範囲】
【請求項１】
苗に被せて地面に載置される苗保護カバーであって、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられており、
且つ、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設されていることを特徴とする苗保護カバー。
【請求項２】
苗に被せて地面に載置される苗保護カバーであって、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられており、
且つ、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設され、更に該頂面部には、支柱を上下方向で挿通させるための支柱挿通部が設けられていることを特徴とする苗保護カバー。
【請求項３】
前記ドーム部の下端周縁には、水平鍔部が、外方に突出する如く設けられており、前記ドーム部を挾んで対向する固定用の水平鍔部分には、地面に突き刺されるアンカー片を挿通させるアンカー孔が設けられており、又、該両水平鍔部分には、その何れか一方のみをアンカー片で地面に固定した状態で前記ドーム部を開閉させる際に蝶番として機能し得る折曲用溝線が設けられていることを特徴とする請求項１又は２記載の苗保護カバー。
【請求項４】
前記支柱挿通部は、十字状の切り込みを以て構成されていることを特徴とする請求項２記載の苗保護カバー。
【請求項５】
苗に被せて地面に載置される苗保護カバーと支柱とのセットであって、
該苗保護カバーは、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられており、
且つ、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設され、
前記ドーム部の頂面部には、前記支柱を上下方向で挿通させるための支柱挿通部が設けられ、該支柱挿通部は、円周方向に所要間隔を置いて係合突出片が設けられており、該支柱挿通部に挿通される前記支柱は、その下端側の部分を地面に押し込んだ状態で、該支柱の上端側の部分が、前記ドーム部の上端の上方に突出する如く構成されており、前記係合突出片の先端としての内縁部分に引っ掛かる引っ掛り用の突部が、該支柱の表面に、支柱長さ方向に不連続状態で設けられていることを特徴とする苗保護カバーと支柱とのセット。
【請求項６】
苗に被せて地面に載置される苗保護カバーと支柱とのセットであって、
該苗保護カバーは、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられており、
且つ、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設され、
前記ドーム部の頂面部には、前記支柱を上下方向で挿通させるための支柱挿通部が設けられ、該支柱挿通部は十字状の切り込みによって係合突出片が構成されており、
該支柱挿通部に挿通される前記支柱は、その下端側の部分を地面に押し込んだ状態で、該支柱の上端側の部分が、前記ドーム部の上端の上方に突出する如く構成されており、前記係合突出片の先端としての内縁部分に引っ掛かる引っ掛り用の突部が、該支柱の表面に、支柱長さ方向に不連続状態で設けられていることを特徴とする苗保護カバーと支柱とのセット。
【発明の詳細な説明】
【技術分野】
【０００１】
本発明は、植物を栽培するに際し、苗を保温し、苗を霜の被害から防ぎ、或いは苗を鳥等の野生動物や虫の被害から保護する等の目的で苗に被せて地面に載置して使用される苗保護カバーに関するものである。又、かかる構成を有する苗保護カバーと支柱とのセットに関するものである。
【背景技術】
【０００２】
農作物や園芸作物等の植物を栽培するに際し、苗を保温し、苗を霜の被害から防ぎ、或いは、苗を鳥等の野生動物の被害や虫の被害から保護する等の目的で、透明保護カバーで苗を被うことが行われている。
【０００３】
その一例として、実用新案登録第３１０４６８２号公報が開示するものが提案されている。該苗保護カバーａは、例えば図２１（Ａ）に示すように、合成樹脂により一体成形された下端解放の透明なコップ状の筒体ｂを具え、該筒体ｂの側面部ｃの下端部ｄの周上に、土中に比較的深く突き刺すための突出部ｅが間隔を置いて形成されていた。そして該筒体ｂは、下方に向かって増径されテーパ状に形成されると共に該筒体ｂの頂部ｆに、図２１（Ｂ）に鎖線で示し、又、図２２に示すように大きめの開口部ｇが一箇所設けられた構成を有していた。或いは図２１（Ｂ）に実線で示すように、該開口部ｇに代えて、フラットな頂部ｆに複数個の孔部ｈが設けられることもあった。
【０００４】
かかる構成を有する苗保護カバーａは、図２２に示すように、前記突出部ｅを土中ｊに比較的深く突き刺すことによって地面に固定されるものであり、該突出部ｅは、風等により苗保護カバーａが飛ばされるのを防止するものであった。又、前記開口部ｇや前記孔部ｈは、苗保護カバーａの内部の温度や湿度を調節したり、防鳥や防虫を図らんとするものであった。
【０００５】
しかしながら、かかる苗保護カバーａによるときは、前記突出部ｅを土中に突き刺しにくい場合が生じ、又、突き刺された突出部ｅが抜ける恐れもあって、苗保護カバーａの設置状態が不安定化し易い問題があった。又、前記頂部ｆに前記大き目の開口部ｇを設ける場合は、該開口部ｇを通しての通気性は良好であったとしても、該大き目の開口部ｇを通して外気が苗保護カバーａの内部ｋに進入しやすく、従って、苗保護カバーａの保温性を損ない易い問題があった。又、前記苗保護カバーａを地面ｊに固定するに際しては前記のように、突出部ｅを土中に突き刺すこととしていたため、筒体ｂの周方向に間隔を置いて突設されて土中に比較的深く突き刺された状態にある複数個の突出部ｅの遮水作用によって、苗保護カバーａの内部の水捌けが損なわれる問題があった。そのため、降雨が激しいときは、前記大きめの開口部ｇを通して苗保護カバーａの内部に多量の降雨が進入し易く、この進入した雨水が外部に排水されにくかった。その結果、苗保護カバー内で水位が上昇することがあり、苗に根腐れが発生する恐れがあった。
【０００６】
一方、前記のように、筒体ｂの頂部ｆに複数の孔部ｈを設ける場合は、かかる大きめの開口部ｇを設ける場合のような保温性や通気性に関しての問題点や、多量の降雨の流入に伴う問題点はないとしても、前記突出部ｅを土中に突き刺しにくく、又、土中に突き刺した突出部ｅが抜け易い前記問題点について、改善の余地があった。又、複数個の孔部ｈがフラットな頂部ｆに設けられていたために、該頂部ｆに降った雨水を筒体ｂの内部に必ずしも良好に導入させ得るとは限らない問題があった。
【０００７】
又、この種の苗保護カバーの他の態様としては、特開２００７−４３９７７号公報が開示する植物被い具が提案されている。該植物被い具ｎは、透明の樹脂製のものであり、一例としては図２３〜２４に示すように、土に当接する当接面部ｐと、該当接面部ｐの内周縁ｑから立ち上がり且つ該内周縁ｑに沿って一巡する側壁ｒとを有する被い部ｓとを具えており、該被い部ｓは、透明若しくは半透明でドーム型或いは釣鐘型の形状を呈していた。そして該被い部ｓの側壁ｒの外側には、該側壁ｒの周方向に一巡する貯水溝ｔが設けられていた。又、前記被い部ｓの頂部ｕには空気抜き孔ｖが設けられていた。
【０００８】
かかる構成を有する植物被い具ｎは、苗に被せて地面ｍに載置された後、前記貯水溝ｒに水が貯留されることにより、該貯留水の重量で、植物被い具ｎが風で飛ばされるのを防止せんとするものであった。しかしながら、貯水溝ｔに貯留された水だけでは大した重量は得られず、植物被い具ｎを地面ｊに安定的に固定しにくい問題があった他、このように載置された植物被い具ｎを地面ｊに固定するためには、貯水溝ｔに常に水が貯留されていることが必須であるが、貯水溝ｔへの水の供給管理に面倒さが伴う問題があった。
【先行技術文献】
【特許文献】
【０００９】
【特許文献１】実用新案登録第３１０４６８２号公報
【特許文献２】特開２００７−４３９７７号公報
【発明の概要】
【発明が解決しようとする課題】
【００１０】
本発明は、苗を保温し苗を霜の被害から防ぎ、或いは鳥等の野生動物や虫の被害から苗を保護できるのは元より、苗に被せて地面に載置された状態で地面に安定的に固定することができ、風で飛ばされるのを防止でき、しかも、内部を効果的に通気できると共に降雨を内部に良好に導入させ得る苗保護カバーの提供を課題とするものである。
【課題を解決するための手段】
【００１１】
前記課題を解決するため、本発明は以下の手段を採用する。
即ち、本発明に係る苗保護カバーは、苗に被せて地面に載置される苗保護カバーであって、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられている。そして、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設されていることを特徴とするものである。
【００１２】
本発明に係る苗保護カバーの他の態様は、苗に被せて地面に載置される苗保護カバーであって、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられている。そして、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設され、更に、前記ドーム部の頂面部には、支柱を上下方向で挿通させるための支柱挿通部が設けられていることを特徴とするものである。
【００１３】
前記の各苗保護カバーにおいて、前記ドーム部の下端周縁に、水平鍔部を、外方に突出する如く設け、前記ドーム部を挾んで対向する固定用の水平鍔部分には、地面に突き刺されるアンカー片を挿通させるアンカー孔を設け、又、該両水平鍔部分には、その何れか一方のみをアンカー片で地面に固定した状態で前記ドーム部を開閉させる際に蝶番として機能し得る折曲用溝線が設けるのがよい。
【００１４】
前記の各苗保護カバーにおいて、前記支柱挿通部は、十字状の切り込みを以て構成するのがよい。
【００１５】
本発明に係る苗保護カバーと支柱とのセットは、苗に被せて地面に載置される苗保護カバーと支柱とのセットであって、該苗保護カバーは、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられている。且つ、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設されている。そして前記ドーム部の頂面部には、前記支柱を上下方向で挿通させるための支柱挿通部が設けられ、該支柱挿通部は、円周方向に所要間隔を置いて係合突出片が設けられており、該支柱挿通部に挿通される前記支柱は、その下端側の部分を地面に押し込んだ状態で、該支柱の上端側の部分が、前記ドーム部の上端の上方に突出する如く構成されており、前記係合突出片の先端としての内縁部分に引っ掛かる引っ掛り用の突部が、該支柱の表面に、支柱長さ方向に不連続状態で設けられていることを特徴とするものである。
【００１６】
本発明に係る苗保護カバーと支柱とのセットの他の態様は、苗に被せて地面に載置される苗保護カバーと支柱とのセットであって、該苗保護カバーは、透明の樹脂製であり、苗を収容する、下端開放で上方に突のドーム部の上端側の部分には、周方向に連続する円環状凹部が設けられており、該円環状凹部の水平な底面部に、周方向に間隔を置いて、通気孔又は通水孔として機能し得る透孔が設けられている。且つ、上に突の円弧状の堤防面部の下端縁が前記円環状凹部の底面部に連設されると共に、前記円環状凹部の底面部の内端縁で、上方に向けて内方に傾斜する傾斜側面部が連設されており、該底面部には、少なくとも該傾斜側面部を介して、前記ドーム部の頂面部が連設されている。そして、前記ドーム部の頂面部には、前記支柱を上下方向で挿通させるための支柱挿通部が設けられ、該支柱挿通部は十字状の切り込みによって係合突出片が構成されている。又、該支柱挿通部に挿通される前記支柱は、その下端側の部分を地面に押し込んだ状態で、該支柱の上端側の部分が、前記ドーム部の上端の上方に突出する如く構成されており、前記係合突出片の先端としての内縁部分に引っ掛かる引っ掛り用の突部が、該支柱の表面に、支柱長さ方向に不連続状態で設けられていることを特徴とするものである。
【発明の効果】
【００１７】
本発明は以下の如き優れた効果を奏する。
本発明に係る苗保護カバーは、苗に被せて地面に載置されることにより、苗を保温し苗を霜の被害から防ぎ、或いは鳥等の野生動物や虫の被害から植物を保護できるのは元より、以下の如き優れた効果を奏する。
【００１８】
(1) 本発明に係る苗保護カバーは、ドーム部の上端側の部分に、周方向に連続する円環状凹部を設け、該円環状凹部の水平な底面部に、通気孔や通水孔として機能し得る透孔を設ける構成を採用するため、該透孔が通気孔として機能することにより、ドーム部の内部を効果的に通気できる。又、該円環状凹部に雨水を貯留できるため、該透孔が通水孔として機能することにより、雨水をドーム部の内部に円滑に導入できることになる。そして、該苗保護カバーは、苗に被せて地面に載置されるものであるため、ドーム部の内部の水捌けが損なわれることもない。
【００１９】
(2) 又、前記ドーム部の頂面部に、支柱を上下方向で挿通させるための支柱挿通部が設けられているため、該支柱挿通部に支柱を挿通させて支柱の下端側の部分を土中に押し込むことにより、該支柱がドーム部の上部を支持できる。これにより、苗に被せられた状態の苗保護カバーが風で飛ばされるのを防止できることになる。
【００２０】
(3) 前記円環状凹部の堤防面部や前記上下の隆起面部を形成する複数段の環状の凹凸部がリブ作用を発揮するため、ドーム部の上端側の部分の剛性が向上されている。従って、前記支柱挿通部に支柱を密接に挿通させる場合であっても該ドーム部の上端側の部分が変形しにくい。
【００２１】
(4) 前記ドーム部の下端周縁に水平鍔部を設け、該ドーム部を挾んで対向する固定用の水平鍔部分に、アンカー片を挿通させるアンカー孔を設けると共に、該水平鍔部分に折曲用溝線を設ける場合は、該水平鍔部分の何れか一方のみをアンカー片で地面に固定した状態で、該折曲用溝線を蝶番として機能させて前記苗保護カバーを容易に開閉させることができる。これによって、ドーム部を開放した状態で、苗に対する水やりや追肥、除草等を行うことができる。
【００２２】
(5) 前記支柱挿通部を十字状の切り込みを以て形成する場合は、支柱を上下方向で密接に挿通させるための支柱挿通部を容易に形成できる。又、挿通させる支柱が比較的太いものであっても或いは比較的細いものであっても、該十字状の切り込みによって形成される三角形状の係合突出片が該支柱の太さに追随して容易に弾性変形できるため、支柱挿通部に支柱を容易に挿通させることができる。又、該支柱を該支柱挿通部に密接に挿通された状態となし得るため、支柱による苗保護カバーの支持をより安定化させることができる。
【００２３】
(6) 前記支柱がその表面に、引っ掛り用の突部が支柱長さ方向に不連続状態で設けられてなるときは、該支柱挿通部が支柱の該引っ掛り用の突部に引っ掛ることにより、風による苗保護カバーの浮き上がりを抑制できる。又、苗保護カバーを支柱に沿って持ち上げたときには、該支柱挿通部が引っ掛り用の突部に引っ掛ることにより、その持ち上げられた状態が維持され易いため、苗に水やりや追肥を行う際、その作業を容易化し得る。
特に、前記支柱挿通部を十字状の切り込みを以て構成するときは、該十字状の切り込みを押し拡げて支柱が挿通された状態で、該十字状の切り込みによって形成された三角形状の係合突出片の先端が、該支柱の表面に弾性的に押し付けられた状態となるので、前記支柱挿通部の前記引っ掛り用の突部に対する引っ掛りがより確実に行われることとなる。
【図面の簡単な説明】
【００２４】
【図１】本発明に係る苗保護カバーを、支柱の一部分及び苗と共に示す斜視図である。
【図２】苗保護カバーの断面図である。
【図３】その下側部分の拡大図である。
【図４】その上側部分の拡大図である。
【図５】その平面図である。
【図６】苗保護カバーを、地面に立設した支柱で支持した状態を示す断面図である。
【図７】その斜視図である。
【図８】支柱を示す拡大部分斜視図と平面図である。
【図９】苗保護カバーの下側部分を示す部分斜視図である。
【図１０】アンカー部材で水平鍔部分を固定する作業工程を説明する斜視図である。
【図１１】複数枚の苗保護カバーを結着具で結着一体化した状態を示す斜視図である。
【図１２】苗保護カバーに対する支柱の取り付け要領の一例を示す説明図である。
【図１３】苗保護カバーに対する支柱の取り付け要領の他の例を説明する説明図である。
【図１４】円環状凹部に貯留された貯留水が透孔で滴下している状態を示す説明図である。
【図１５】支柱に沿わせて苗保護カバーを持ち上げた状態を説明する説明図である。
【図１６】苗保護カバーを、折曲用溝線を蝶番として開いた状態を説明する説明図である。
【図１７】支柱挿通部の内縁部分が引っ掛り用の突部に引っ掛った状態を示す断面図である。
【図１８】支柱挿通部の内縁部分が引っ掛り用の突部に引っ掛かった他の態様を示す断面図である。
【図１９】支柱挿通部の他の態様を示す平面図である。
【図２０】支柱挿通部のその他の態様を示す斜視図である。
【図２１】従来の苗保護カバーを示す正面図と平面図である。
【図２２】その苗保護カバーを地面に固定した状態を示す斜視図である。
【図２３】従来の苗保護カバーの他の態様を示す斜視図である。
【図２４】その断面図である。
【発明を実施するための形態】
【実施例１】
【００２５】
図１〜２において本発明に係る苗保護カバー１は、苗Ｐに被せて使用されるものであり、透明な樹脂製のものである。苗を収容するドーム部３の上端側の部分５には、周方向に連続する円環状凹部６が設けられており、該円環状凹部６の水平な底面部７には、周方向に間隔を置いて、通気孔９ａや通水孔９ｂとして機能し得る透孔９が設けられている。又、前記ドーム部３の頂面部１０には、支柱１１を上下方向で密接に挿通させるための支柱挿通部１２が設けられている。
【００２６】
前記ドーム部３は、本実施例においては、肉厚が０．３〜０．５ｍｍ程度の薄肉の透明な樹脂製のものであり、下端２開放で且つ上方に突のドーム型や釣り鐘型等を呈しており、その下端２の直径は例えば２８０〜３５０ｍｍ程度に形成され、その高さは２１０〜２５０ｍｍ程度に形成されている。ここで透明とは、苗の成長に必要な日照量を確保できるものである限り、無色透明の他、有色透明を含むものである。
【００２７】
該ドーム部３は、より具体的には図１〜５に示すように、平面視で円環状を呈する円環状台座側面部１３の上端１５に、外方に突の円弧状周面部１６を介して水平段差面部１７が内方に連設されており、該水平段差面部１７の内端縁１９で球状側面部２０が連設されると共に該球状側面部２０の上端縁２１には、上に突の円弧状の堤防面部２２が連設され、該堤防面部２２の下端縁２３には、水平な前記底面部７が内方に向けて連設されている。又、該底面部７の内端縁２６で、上方に向けて内方に傾斜する傾斜側面部２９が連設されると共に、該傾斜側面部２９の上端で、緩く上方に湾曲する略水平面部３２が内方に向けて連設されることにより、平面視で円形を呈する下の隆起面部３３が形成されている。又、該下の隆起面部３３の前記略水平面部３２の内端縁３５で、斜め上方に向けて傾斜する傾斜面部３６が連設されると共に該傾斜面部３６の上端で、上に突の円弧状面部を介して、緩く上方に湾曲する、平面視で円形を呈する上の隆起面部４０が連設されており、該上の隆起面部４０が前記ドーム部３の前記頂面部１０を構成している。
【００２８】
そして、前記堤防面部２２と前記下の隆起面部３３との間に、図１、図４〜５に示すように、水平な前記底面部７を有する前記円環状凹部６が形成されており、該底面部７に、その周方向に間隔を置いて、通気孔９ａや通水孔９ｂとして機能し得る前記透孔９が設けられている。該透孔９は、例えば、直径が８ｍｍ程度の円形孔であり、例えば、平面視で２０度の角度ピッチで設けられている。このように、水平な底面部７に透孔９を設けることとしているため、プレス加工によって該透孔９を設ける場合、該プレス加工を安定的に行うことができる。
【００２９】
そして、平面視で円形を呈する上の隆起面部４０（頂面部１０）の中央部位には、図１、図５に示すように、前記支柱１１を上下方向で密接に挿通させるための支柱挿通部１２が設けられている。該支柱１１としては、例えば図６〜８に示すように、直径が１１ｍｍ程度で長さが１０００ｍｍ程度の直線状丸パイプ４１の上下端４２，４３に、外径が１２ｍｍ程度のキャップ部材４５，４６を装着してなるものを用いることとしている。そして本実施例においては図８に拡大して示すように、該直線状丸パイプ４１の外周面３４に、支柱長さ方向に延長する不連続突部列３８の４本が、周方向に略９０度の角度を置いて設けられている。該不連続突部列３８は、例えば、長さが４．６ｍｍ程度で幅が１．２ｍｍ程度、突出量が０．７ｍｍ程度の縦長（支柱長さ方向に長い）の樹脂製の引っ掛り用の突部４４を支柱長さ方向に９．６ｍｍ程度の間隔を置いて不連続状態に突設して形成されている。
【００３０】
又、前記支柱挿通部１２は、本実施例においては図１、図５に示すように、長さが例えば３５ｍｍ程度の直線状の切り込み線４７，４７を十字状に組み合わせて形成した十字状の切り込み４９を以て形成されており、その十字の中心５０が前記頂面部１０の中心５１と略合致されている。
【００３１】
前記支柱挿通部１２が、このように十字状の切り込み４９を以て形成されていることから、前記支柱１１を該十字状の切り込み４９に挿通させる際、該切り込み線４７，４７によって形成された４つの三角形状の係合突出片５２，５２，５２，５２が、図６〜７に示すように、前記キャップ部材４５，４６や前記直線状丸パイプ４１の直径に追随して容易に弾性変形できる。かかることから、前記支柱１１は、前記支柱挿通部１２に密接に挿通された状態となり得る。
【００３２】
又、前記円環状台座側面部１３には、図１、図９に示すように、下端５３が下方に開放し且つ外面５５と内面５６が、外方に向けて凸に形成された補強リブ５７が周方向に小間隔で並設されている。
【００３３】
又、前記球状側面部２０の下側部分５９には、図１、図９に示すように、該球状側面部２０の外方に向けて、外面６０と内面６１が凸であり且つ、上端部分６２（図１）が徐々に細く形成された樋状を呈する樋状縦補強リブ６３が、球状側面部２０の周方向に所要間隔で（例えば平面視で１０度の角度ピッチで）設けられており、各樋状縦補強リブ６３の下端６４は前記水平段差面部１７で開放している。
【００３４】
又本実施例においては、図１、図５に示すように、かかる構成を有するドーム部３の下端周縁６５に、平面視で外形が例えば正方形状を呈する水平鍔部６６が、該ドーム部３に一連状態で且つ略等肉厚で外方に突出する如く設けられており、４つのコーナ部分には、幅広円弧状の水平鍔部分６７，６７，６７，６７が設けられている。この４つの水平鍔部分６７，６７，６７，６７の内、前記ドーム部３を挾んで対向する２つの水平鍔部分（固定用の水平鍔部分）６７ａ，６７ａに、図１０に示すアンカー部材６９の両アンカー片７０ａ，７０ｂを挿通させるアンカー孔６８，６８が、所要間隔を置いて設けられており、該両水平鍔部分６７ａ，６７ａには、該アンカー孔６８，６８の内側に位置させて折曲用溝線７１が設けられている。該折曲用溝線７１，７１は、本実施例においては、前記対向する水平鍔部分６７ａ，６７ａを結ぶ直線７２（図５）と直交する状態で設けられ、その両端部７３，７３，７３，７３は、図１、図１０に示すように、前記水平鍔部分６７ａ，６７ａの周縁部７５で開放状態とされている。
【００３５】
本実施例においては、前記アンカー部材６９を構成する前記アンカー片７０ａ，７０ｂの内の一方７０ａは他方７０ｂに比して長く形成されている。これは、長いアンカー片７０ａの下端部分７０ａ１を前記一方のアンカー孔６８ａに挿通させて地面７９に突き刺して後に、該アンカー片７０ａの軸線Ｌ回りにアンカー部材６９を、図１０（Ｂ）に矢印Ｆ１、Ｆ２で示すように適宜回動させ得るようにし、他方のアンカー片７０ｂを他方のアンカー孔６８ｂに位置決めして挿通させ易くするためである。
【００３６】
又、前記ドーム部３を挾んで対向する他の２つの水平鍔部分（結束用の水平鍔部分）６７ｂ，６７ｂには、図１、図５に示すように、前記苗保護カバー１の複数枚（例えば５枚）を重ね合わせて全体を、樹脂被覆鉄線等の結着具７６で、図１１に示すように結着一体化するための結着孔７７が設けられている。
【００３７】
かかる構成を有する苗保護カバー１は、例えば、ポリエチレンテレフタレート、ポリエステル系樹脂、ポリオレフィン系樹脂、ポリ塩化ビニール系樹脂等の透明な樹脂を用いて、真空成形によって形成できる。該苗保護カバーは、射出成形やブロー成形等により形成することもできる。
【００３８】
然して、かかる構成を有する苗保護カバー１を、図６に示すように、図示しない苗に被せて前記水平鍔部６６を地面７９に載置することにより、該苗保護カバー１の内部の温度や湿度を調節でき、苗を保温し苗を霜の被害から防ぐことができると共に、鳥等の野生動物の被害や虫の被害から苗を保護することができる。
【００３９】
苗保護カバー１は、このようにして苗に被せて使用されるものであり、前記固定用の水平鍔部分６７ａ，６７ａのアンカー孔６８，６８に前記アンカー部材６９の両アンカー片７０ａ，７０ｂを挿通させて該アンカー片７０ａ，７０ｂを土中に突き刺す。これによって、苗保護カバー１を地面７９に固定できることになる。このようにアンカー片７０ａ，７０ｂを土中に突き刺した後、該苗保護カバー１の設置の安定性を向上させるために、水平鍔部分６７，６７，６７，６７上に適宜土を被せるのがよい。
【００４０】
これによって該苗保護カバー１の設置状態を安定化させ得るのであるが、該苗保護カバー１は薄肉に形成されて軽量であるために風で飛ばされる恐れがある。このような恐れのあるときは、地面７９に対する苗保護カバー１の固定を一層確実に行うために、図６に示すように、前記頂面部１０に設けられている前記十字状の切り込み４９からなる前記支柱挿通部１２に支柱１１を上下方向で密接に挿通させ、該支柱１１の下端側の部分８０を２０〜３０ｃｍ程度、地面７９に押し込んで該支柱１１を立設状態とする。
【００４１】
本実施例においては図１に示すように、前記ドーム部３の上端側の部分５に、前記上下の隆起面部４０，３３が設けられると共に前記堤防面部２２が設けられていて、該ドーム部３の上端側の部分５が、複数の環状の凹凸部の形成によって補強された状態にある。従って、苗保護カバー１は薄肉に形成されているものではあっても、前記支柱１１を前記十字状の切り込み４９に挿通させる際に該上端側の部分５を変形させにくい。又、前記のように、ドーム部３の前記球状側面部２０に樋状縦補強リブ６３が設けられているため、該ドーム部３は全体として変形しにくい。
【００４２】
このようにして支柱挿通部１２に支柱１１を密接に挿通させると共に支柱の下端側の部分８０を地面７９に押し込んだ状態で、該支柱１１の上端側の部分８１が、前記ドーム部３の上端８２の上方に突出状態となる。そして、このように立設された支柱１１の上端側の部分８１が前記ドーム部３の頂面部１０を支持するために、しかも、該支柱１１が該ドーム部３をその中心部分において支持するために、苗保護カバー１が風で飛ばされる恐れを回避できることになる。なお必要であれば、苗を該支柱１１に結び付けることにより該支柱１１を苗の添え木としても利用できることとなる。このようにして支柱１１を植物の支持にも用いるときは、苗が成長した後に前記苗保護カバー１を支柱１１に沿って持ち上げて支柱から取り外せば、支柱１１は、その後、成長した植物を支持する役割も果たすことになる。
【００４３】
苗保護カバー１に対する支柱１１の取り付け要領は、例えば図１２に示すように、苗（図示せず）に近接させて、支柱１１の下端側の部分８０を地面７０に押し込んだ後、地面７０の上方に突出する支柱部分１１ａの上側部分８３を、前記ドーム部３の内側から前記支柱挿通部（十字状の切り込み４９）１２に、上方に向けて挿通させ、その後、図１２に矢印Ｆ３、Ｆ４で示すように該苗保護カバー１を支柱１１に沿わせて下降させ、最終的には図６に示すように、前記水平鍔部６６を地面７０に載置して行うことができる。このようにする場合は、必要に応じて苗を支柱１１に結び付けた状態として後、苗保護カバー１を下方向に降ろせばよい。或いは図１３に示すように、苗保護カバー１を苗に被せてその水平鍔部６６を地面７０に載置した状態で、支柱１１の下端部分８５を前記支柱挿通部（十字状の切り込み４９）１２に上から下に向けて挿通させ、最終的には図６に示すように、該支柱１１の下端側の部分８０を地面７０に押し込むこととしてもよい。
【００４４】
このようにして苗保護カバー１を苗に被せた状態においては、前記円環状凹部６の水平な底面部７に設けられている前記透孔９が通気孔９ａとして機能し、苗保護カバー１の内部８５を通気でき、該苗保護カバー１内の温度や湿度を調整できることとなる。通気孔９ａがこのように、ドーム部３の上端側の部分５に設けられており、しかも水平な底面部７に設けられているため、図６に矢印で示すように、ドーム部３の内部を上昇した湿気を円滑に外部に排出することが可能となる等、ドーム部３の内部８６の通気を効果的に行うことができる。
【００４５】
又、降雨時においては、前記透孔９が通水孔９ｂとして機能し、図１４に示すように、降雨が、前記ドーム部３の上端側の部分５の表面５ａを流下して前記円環状凹部６に貯留されて後、その貯留水が、該透孔９で滴下する等してドーム部３の内部８６に導入されることになる。これにより、苗の周囲部分への水やりを効果的に行うことができる。そして、苗保護カバー１の設置は、前記水平鍔部６６を地面７９に載置して行われているため、苗保護カバー１の内部の水捌けは良好である。
【００４６】
支柱１１を挿通した状態において、苗に対する水やりや追肥、除草等を行わんとするときは、前記固定用の水平鍔部分６７ａ，６７ａを固定する前記アンカー部材６９，６９を取り外した後、図１５に示すように、前記苗保護カバー１を支柱１１に沿わせて持ち上げてこれらの作業を行うことができる。その後、苗保護カバー１を支柱１１に沿わせて降ろし、前記固定用の水平鍔部分６７ａ，６７ａを前記アンカー部材６９で地面７９に固定する。
【００４７】
なお、前記支柱１１を挿通していない状態においては、図１６に示すように、前記対向する固定用の水平鍔部分６７ａ，６７ａの何れか一方のみを前記アンカー部材６９で地面７９に固定した状態で、該苗保護カバー１を、前記折曲用溝線７１を蝶番として機能させて開くことにより、苗に対する水やりや追肥、除草等を行うことができる。
【００４８】
本実施例においては、図８に示すように、支柱１１の表面９１に、支柱長さ方向に延長する不連続突部列３８が設けられてなる（例えば周方向に略９０度の角度を置いて設けられてなる）ため、該支柱１１が前記支柱挿通部１２に上下方向で挿通された状態で、図１７に拡大して示すように、該支柱挿通部１２の前記三角形状の係合突出片５２の内縁部分８４が該不連続突部列３８の引っ掛り用の突部４４に引っ掛ることにより、風による苗保護カバー１の浮き上がりを抑制できる。又、苗に水やりや追肥を行うに際して苗保護カバー１を支柱１１に沿って持ち上げるときには、該係合突出片５２の弾性変形によって持ち上げることができると共に、持ち上げた状態では、図１８に示すように、該支柱挿通部１２の内縁部分８４が該不連続突部列３８の引っ掛り用の突部４４に引っ掛ることにより、その持ち上げられた状態が維持される。
【００４９】
特に、前記支柱挿通部１２を十字状の切り込みを以て構成するときは、該十字状の切り込みを押し拡げて支柱１１が挿通された状態で、該十字状の切り込みによって形成された係合突出片８９の先端８４ａとしての内縁部分８４が、例えば、図１７、図１８に示すように該支柱１１の表面９に弾性的に押し付けられた状態となるので、前記支柱挿通部１２の内縁部分８４の前記引っ掛り用の突部４４に対する引っ掛りがより確実に行われることとなる。
【実施例２】
【００５０】
本発明は、前記実施例で示したものに限定されるものでは決してなく、「特許請求の範囲」の記載内で種々の設計変更が可能であることはいうまでもない。その一例を挙げれば次のようである。
【００５１】
(1) 前記支柱挿通部１２は、支柱１１を上下方向で挿通させることができて、風等によって苗保護カバーが飛ばされるのを防止できるものである限り、各種に構成され得る。
例えば、該支柱挿通部１２を、直線状の切り込み線を組み合わせて設ける場合は、前記十字状の切り込み４９の他、３本以上の切り込み線の組み合わせによって、各種形態に構成できる。
【００５２】
又、該支柱挿通部１２は、図１９に示すように、円周方向に所要間隔を置いて三角形状等の係合突出片８９を設け、各係合突出片８９の弾性変形によって前記支柱１１を該支柱挿通部１２に密接に挿通させ得るように構成することもできる。
【００５３】
更に該支柱挿通部１２は、図２０に示すように円形孔９０として構成することもできる。このように構成する場合、前記支柱１１として、例えば図６〜８に示すような、直線状丸パイプ４１の上下端にキャップ部材４５，４６を装着したものを用いる場合は、該円形孔９０の直径を、該キャップ部材４５，４６を無理なく通過させ得るように設定される。このように構成する場合は、支柱１１の下端側の部分８０を地面７９に押し込んだ状態で、前記直線状丸パイプ４１が前記円形孔９０に遊挿状態となるが、風等によって苗保護カバーが飛ばされるのを防止できる限り、該円形孔９０の直径が支柱１１の直径よりも大きいこともある。
【００５４】
(2) 前記頂面部１０にミシン目状の切り取り線を適宜設けることによって、該切り取り線の切り離しにより、円形状や十字状等の支柱挿通部１２を形成することもできる。
【００５５】
(3) 前記固定用の水平鍔部分６７ａ，６７ａは、ドーム部３を挾んで対向状態で設けることの他、１２０度等の適宜の角度を置いて周方向に間隔を置いて設けることもある。又、該固定用の水平鍔部分６７ａに設けるアンカー孔６８は、１個のこともある。
【００５６】
(4) 前記支柱１１の長さは、前記支柱挿通部１２を上下方向で挿通して下端側の部分８０が地面に押し込まれた状態で該支柱１１の上端側の部分８１が、少なくとも、前記ドーム部３の上端８２の上方に突出する程度に設定されることが必要である。苗保護カバー１を支柱１１から取り外した後も該支柱１１が植物の支持機能を発揮するようになす場合は、該植物の支持に適した長さの支柱を用いればよい。
【００５７】
(5) 本発明に係る苗保護カバー１は、その使用状態において、前記アンカー部材６９を用いることなく、前記支柱挿通部１２を上下方向で挿通して下端側の部分８０が地面に押し込まれた状態の支柱１１だけによって、ドーム部３の上部だけが支持された状態とされることもある。
【００５８】
(6) 本発明に係る苗保護カバー１は、前記ドーム部３の下端周縁に前記水平鍔部６６が設けられないこともある。
【００５９】
(7) 前記ドーム部３は、その周面部が四角形や、五角形、六角形等の多角形状に形成されることもある。
【００６０】
(8) 前記固定用の水平鍔部分を設ける場合、前記折曲用溝線７１は省略されることもある。
【００６１】
(9) 前記円環状凹部６の水平な底面部７に設けられる前記透孔９は、前記ドーム部３の内部８６に前記貯留水を所要に導入させることができる限り、２個以上の複数個が設けられるものであればよい。
【００６２】
(10)  前記支柱１１が、その表面９１に、引っ掛り用の突部４４が支柱長さ方向に不連続状態で設けられてなる場合、図８においては、該突部４４が周方向で隣り合うように設けられているが、周方向に配置されている突部４４は上下に位置ずれして設けられることもある。
【符号の説明】
【００６３】
１  苗保護カバー
２  下端
３  ドーム部
５  上端側の部分
６  円環状凹部
７  底面部
９  透孔
１０  頂面部
１１  支柱
１２  支柱挿通部
１３  円環状台座側面部
１７  水平段差面部
２０  球状側面部
２２  堤防面部
２９  傾斜側面部
３８  不連続突部列
４０  上の隆起面部
４４  引っ掛り用の突部
４７  切り込み線
４９  十字状の切り込み
５２  係合突出片
６３  樋状縦補強リブ
６６  水平鍔部
６７  水平鍔部分
６８  アンカー孔
６９  アンカー部材
７１  折曲用溝線
７９  地面
８４  支柱挿通部の内縁部分
８９  係合突出片
【図１】
0005436326.tif 000002
【図２】
0005436326.tif 000003
【図３】
0005436326.tif 000004
【図４】
0005436326.tif 000005
【図５】
0005436326.tif 000006
【図６】
0005436326.tif 000007
【図７】
0005436326.tif 000008
【図８】
0005436326.tif 000009
【図９】
0005436326.tif 000010
【図１０】
0005436326.tif 000011
【図１１】
0005436326.tif 000012
【図１２】
0005436326.tif 000013
【図１３】
0005436326.tif 000014
【図１４】
0005436326.tif 000015
【図１５】
0005436326.tif 000016
【図１６】
0005436326.tif 000017
【図１７】
0005436326.tif 000018
【図１８】
0005436326.tif 000019
【図１９】
0005436326.tif 000020
【図２０】
0005436326.tif 000021
【図２１】
0005436326.tif 000022
【図２２】
0005436326.tif 000023
【図２３】
0005436326.tif 000024
【図２４】
0005436326.tif 000025